(57)【要約】【課題】  犬等のペットの熱中症危険度を報知すること。【解決手段】  入力部１１により入力された気温及び湿度に基づいてＣＰＵ１１が不快指数を求め、求められた不快指数に基づいて犬の熱中症危険度レベルを決定し、決定された犬の熱中症危険度レベルを出力部１４が出力する。【選択図】  図１
2006345826.tif 000002
【特許請求の範囲】
【請求項１】
気温及び湿度を入力する入力手段と、
該入力手段により入力された気温及び湿度に基づいて不快指数を求める演算手段と、
不快指数とペットの熱中症危険度レベルが対応付けられた危険度レベル情報が記憶された記憶手段と、
前記演算手段により求められた不快指数に基づいて、前記記憶手段に記憶された危険度レベル情報からペットの熱中症危険度レベルを決定する決定手段と、
該決定手段により決定されたペットの熱中症危険度レベルを出力する出力手段と、
を備えることを特徴とするペットの熱中症危険度報知システム。
【請求項２】
不快指数を入力する入力手段と、
不快指数とペットの熱中症危険度レベルが対応付けられた危険度レベル情報が記憶された記憶手段と、
前記入力手段により入力された不快指数に基づいて、前記記憶手段に記憶された危険度レベル情報からペットの熱中症危険度レベルを決定する決定手段と、
該決定手段により決定されたペットの熱中症危険度レベルを出力する出力手段と、
を備えることを特徴とするペットの熱中症危険度報知システム。
【請求項３】
前記ペットが犬であり、
前記危険度レベル情報が、前記不快指数が６８以下をレベル１、６９以上７４以下をレベル２、７５以上８０以下をレベル３、８１以上をレベル４として、前記不快指数と前記犬の熱中症危険度レベルを対応付けたものであることを特徴とする請求項１又は２に記載のペットの熱中症危険度報知システム。
【請求項４】
前記出力手段によって出力されたペットの熱中症危険度レベルがレベル２以上のときに、危険であることをレベルに応じて報知するための報知手段を更に備えることを特徴とする請求項３に記載のペットの熱中症危険度報知システム。
【請求項５】
不快指数とペットの熱中症危険度レベルが対応付けられた危険度レベル情報を記憶していることを特徴とする情報記憶媒体。
【請求項６】
前記ペットが犬であり、
前記危険度レベル情報が、前記不快指数が６８以下をレベル１、６９以上７４以下をレベル２、７５以上８０以下をレベル３、８１以上をレベル４として、前記不快指数と前記犬の熱中症危険度レベルを対応付けたものであることを特徴とする請求項５に記載の情報記憶媒体。
【請求項７】
コンピュータに、
気温及び湿度に基づいて不快指数を求める処理と、
該求められた不快指数に基づいて、ペットの熱中症危険度レベルを決定する処理と、
該決定されたペットの熱中症危険度レベルを出力させる処理と、
を実行させることを特徴とするプログラム。
【請求項８】
コンピュータに、
不快指数に基づいて、ペットの熱中症危険度レベルを決定する処理と、
該決定されたペットの熱中症危険度レベルを出力させる処理と、
を実行させることを特徴とするプログラム。
【発明の詳細な説明】
【技術分野】
【０００１】
本発明は、犬等のペットの熱中症危険度を報知する報知システムに関するものである。
【背景技術】
【０００２】
近年、地球温暖化に加えて、都市部におけるヒートアイランド現象の影響で、夏季における３０度以上の観測時間帯が著しく増加している。このような気候変動に伴い、熱中症や暑気あたり（夏バテ）の患者が年々急増しており、社会問題となっている。そこで、特許文献１に開示されている発明のように、測定された温度及び湿度より不快指数を求め、求めた不快指数を表示手段に表示する不快指数表示装置が知られている。
【０００３】
また、このような気候変動に伴って、人間のみならず犬が熱中症にかかるケースも急増している。
【特許文献１】特開平５−７２３５８号公報
【発明の開示】
【発明が解決しようとする課題】
【０００４】
しかしながら、犬が熱中症や暑気あたりにかかっても、その症状に飼い主が気付かない場合が多く、かなり重症な状態で動物病院に運ばれてくるケースが増加している。人間はほぼ全身に汗腺があるが犬は肉球にしか汗腺がなく、汗で体温を下げる効率は人間の１３０分の１であって体温調節が取りにくい動物である。そのため、犬は人間より熱中症や暑気あたりにかかりやすい。更に、犬は人間よりも体高が低い為、アスファルト等の輻射熱の影響を受けやすく、飼い主にとっては散歩に快適な気候・時間帯であっても犬にとっては不快である場合も多い。
【０００５】
また、近年、犬以外のペットを飼う家庭が増加し、中には暑さに弱いペット（例えば、ウサギ、フェレット、シマリス等）もあり、これらのペットが飼い主の気付かないうちに暑気あたりや熱中症にかかるケースも今後増加すると考えられる。
【０００６】
そこで、本発明は、犬等のペットの熱中症危険度を報知するための熱中症危険度報知システムを提供することを目的とする。
【課題を解決するための手段】
【０００７】
以上の課題を解決するために、請求項１に記載の犬の熱中症危険度報知システムは、気温及び湿度を入力する入力手段と、該入力手段により入力された気温及び湿度に基づいて不快指数を求める演算手段と、不快指数とペットの熱中症危険度レベルが対応付けられた危険度レベル情報が記憶された記憶手段と、前記演算手段により求められた不快指数に基づいて、前記記憶手段に記憶された危険度レベル情報からペットの熱中症危険度レベルを決定する決定手段と、該決定手段により決定されたペットの熱中症危険度レベルを出力する出力手段と、を備えることを特徴とする。
【０００８】
また、請求項２に記載の犬の熱中症危険度報知システムは、不快指数を入力する入力手段と、不快指数とペットの熱中症危険度レベルが対応付けられた危険度レベル情報が記憶された記憶手段と、前記入力手段により入力された不快指数に基づいて、前記記憶手段に記憶された危険度レベル情報からペットの熱中症危険度レベルを決定する決定手段と、該決定手段により決定されたペットの熱中症危険度レベルを出力する出力手段と、を備えることを特徴とする。
【０００９】
ここで、前記ペットが犬であり、前記危険度レベル情報が、前記不快指数が６８以下をレベル１、６９以上７４以下をレベル２、７５以上８０以下をレベル３、８１以上をレベル４として、前記不快指数と前記犬の熱中症危険度レベルを対応付けたものであることとしてもよい。
【００１０】
尚、不快指数の値の小数点以下は切り下げ、切り上げ、四捨五入の何れかの方法によって整数化されるものとする。
【００１１】
また、請求項４のように、請求項３に記載のペットの熱中症危険度報知システムであって、前記出力手段によって出力されたペットの熱中症危険度レベルがレベル２以上のときに、危険であることをレベルに応じて報知するための報知手段を更に備えることとしてもよい。
【００１２】
請求項５に記載の情報記憶媒体は、不快指数とペットの熱中症危険度レベルが対応付けられた危険度レベル情報を記憶していることを特徴とする。
【００１３】
ここで、前記ペットが犬であり、前記危険度レベル情報が、前記不快指数が６８以下をレベル１、６９以上７４以下をレベル２、７５以上８０以下をレベル３、８１以上をレベル４として、前記不快指数と前記犬の熱中症危険度レベルを対応付けたものであることとしてもよい。
【００１４】
請求項７に記載のプログラムは、コンピュータに、気温及び湿度に基づいて不快指数を求める処理と、該求められた不快指数に基づいて、ペットの熱中症危険度レベルを決定する処理と、該決定されたペットの熱中症危険度レベルを出力させる処理と、を実行させることを特徴とする。
【００１５】
請求項８に記載のプログラムは、コンピュータに、不快指数に基づいて、ペットの熱中症危険度レベルを決定する処理と、該決定されたペットの熱中症危険度レベルを出力させる処理と、を実行させることを特徴とする。
【発明の効果】
【００１６】
本発明のペットの熱中症危険度報知システムによれば、不快指数から犬等のペットの熱中症危険度レベルを算出し、熱中症危険度レベルを出力手段に出力させることができるため、その出力された熱中症危険度レベルを報知することによって、飼い主は現在の気候がペットにとって熱中症を引き起こしやすい気候であるか否かを簡単に認識することができる。これにより、ペットが熱中症にかかるリスクを低減させることができる。
【発明を実施するための最良の形態】
【００１７】
以下、図面を参照して本発明の実施の形態を説明する。尚、本実施の形態では、ペットとして犬の熱中症危険度報知システムを例に説明するが、本発明の適用対象は犬に限定されるものではない。
【００１８】
図１は犬の熱中症危険度報知システム１のシステム構成について説明するためのブロック図である。犬の熱中症危険度報知システム１は、入力部（入力手段）１１と、ＣＰＵ（演算手段、決定手段）１２と、記憶部（記憶手段、情報記憶媒体）１３と、出力部（出力手段）１４とを備えて構成されている。
【００１９】
入力部１１は、気温及び湿度を入力するための手段である。入力部１１は、数字キー等を備えたキーボード等によって構成され、押下されたキーに対応した押下信号をＣＰＵ１２に出力する。
【００２０】
ＣＰＵ１２は、各部の制御、種々の演算等を行う。具体的には、入力部１１により気温及び湿度が入力されると、記憶部１３に記憶された熱中症危険度レベル決定プログラム１３２を読み出して犬の熱中症危険度レベル決定処理を行う。
【００２１】
記憶部１３は、プログラムやデータ等が予め記憶された記憶媒体であり、具体的には、犬の熱中症危険度レベルテーブル１３１と、熱中症危険度レベル決定プログラム１３２が記憶されている。犬の熱中症危険度レベルテーブル１３１は、犬の熱中症危険度レベルと不快指数とが対応付けて記憶されたデータテーブルである。犬の熱中症危険度レベルテーブル１３１のデータ構成については、後述する。熱中症危険度レベル決定プログラム１３２は、入力された気温及び湿度に基づいて不快指数を求め、該不快指数に基づいて犬の熱中症危険度レベルテーブル１３１から犬の熱中症危険度レベルを決定する処理をＣＰＵ１２に実現させるためのプログラムである。
【００２２】
出力部１４は、ＣＰＵ１２によって決定された犬の熱中症危険度レベルを出力する手段であり、表示装置（ディスプレイ）、プリンタ等によって構成される。
【００２３】
次に熱中症危険度レベルについて説明する。表１は人間と犬の熱中症発症の危険基準値を示した表である。
【表１】
2006345826.tif 000003
【００２４】
人間の熱中症危険基準値は気温２６℃、湿度６０％（日本体育協会より発表）となり、不快指数に換算すると７４．２２４となる。不快指数においても、７４．２２４以上が人間が不快と感じる数値であることから、熱中症危険基準値と不快指数のロジックは同じであることが言える。そこで、図２に示す不快指数曲線に従って、犬の熱中症危険基準値（気温２２℃、湿度６０％）から不快指数を求めると６８．６となった。即ち、人間と犬の熱中症危険基準となる不快指数の差が５であることが分かる。
【００２５】
従って、不快指数から導き出された人間の熱中症危険度レベルより、それぞれ不快指数を５減算することにより、犬の熱中症危険度レベルを設定することができる。表２は、人間と犬の熱中症危険度レベルを示した表である。
【表２】
2006345826.tif 000004
【００２６】
このようにして設定された犬の熱中症危険度レベルを用いて、犬の熱中症危険度レベルテーブル１３１が設定される。図３は犬の熱中症危険度レベルテーブル１３１のデータ構成の一例を示した図である。
【００２７】
図４は、熱中症危険度レベル決定処理の流れを説明するためのフローチャートである。まず、ＣＰＵ１２は入力された気温及び湿度を用いて不快指数を求める（ステップＳ１）。Ｔ＝気温（摂氏温度）、Ｈ＝相対湿度［％］としたとき、不快指数は式（１）を用いて求められる。
【００２８】
不快指数（ＤＩ）＝０．８１Ｔ＋０．１１Ｈ（０．９９Ｔ−１４．３）＋４６．３
・・・（１）
尚、求められた不快指数は、小数点以下は切り下げ、切り上げ、四捨五入の何れかの方法によって整数化されるものとする。
【００２９】
次に、ＣＰＵ１２は、不快指数に基づいて、犬の熱中症危険度レベルテーブル１３１から犬の熱中症危険度レベルを決定し（ステップＳ２）、出力部１４に熱中症危険度レベルを出力する（ステップＳ３）。
【００３０】
出力部１４は、犬の熱中症危険度レベル決定処理によって決定された熱中症危険度レベルを出力する出力手段であり、ＣＰＵ１２と電気的に接続されている表示装置（ディスプレイ）等に熱中症危険度レベルが表示される。または、ＣＰＵ１２と電気的に接続されたプリンタ等に熱中症危険度レベルが印刷されて出力される。
【００３１】
尚、出力部１４は熱中症危険度レベルをデータとして外部に出力する通信手段を備えたものであってもよい。具体的には、図５に示すように、出力部１４ａは通信部２と、ネットワーク３と、複数の端末装置４を備えた犬の熱中症危険度放置システム１ａとしてもよい。
【００３２】
図５の犬の熱中症危険度報知システム１ａにおいて、ＣＰＵ１２によって決定された犬の熱中症危険度レベルは通信部２を介してネットワーク３に送信され、犬の熱中症危険度レベルが各端末装置４に送信される。ネットワーク３は、汎用プロトコルに基づいたインターネット、イントラネット、ＬＡＮ、無線媒体により情報の送受信可能な複数の基地局がネットワークを構成する通信回線網等や放送網によって構成される。端末装置４は、例えば、デジタル放送対応の家庭用テレビ、インターネットに接続可能なパソコンや携帯電話、街頭や電車内等の公共の場に設置される表示装置（電光掲示板）等である。更に、このような端末装置をテレビ局やラジオ局に設置し、アナウンサーがテレビやラジオで犬の熱中症危険度レベルを放送することによって、多くの人に犬の熱中症危険度レベルを知らせることができる。
【００３３】
また、図６に示すように「ワンちゃん夏バテ予報」と称して、飼い主が危険度を簡単に認識できるように犬の熱中症危険度レベルに応じて家庭用テレビ、パソコンや携帯電話、電光掲示板等の表示装置に表示されるようにしてもよい。図６（ａ）は熱中症危険度レベルがレベル１のときに表示される画面の一例であり、図６（ｂ）はレベル２のときに表示される画面の一例である。図６（ｃ）はレベル３のときに表示される画面の一例であり、図６（ｄ）はレベル４のときに表示される画面の一例である。
【００３４】
更に飼い主が熱中症危険度を認知しやすいように、レベル２以上のときは音声や警告音等によって熱中症危険度が報知されるようにしてもよい。具体的には、決定されたレベルがレベル２以上のときに、ＣＰＵ１２は指示信号を出力して音声や警告音等を出力するスピーカ（報知手段）を動作させることにより、飼い主に対して現在犬が熱中症にかかりやすい気候であることを報知することによって、飼い主は危険度を簡単に認知することができる。
【００３５】
以上説明したように、不快指数から犬の熱中症危険度レベルを決定し、熱中症危険度レベルを表示装置やプリンタ等に出力させたり、または犬の熱中症危険度レベルを通信部２を介してネットワーク３に送信し、各端末装置４に出力させたりすることによって、飼い主は現在の気候が犬にとって熱中症を引き起こしやすい気候であるか否かを簡単に知ることができる。これにより、犬が熱中症にかかるリスクを低減させることができる。
【００３６】
尚、本実施の形態は、本発明の趣旨を逸脱しない範囲で適宜変更可能である。例えば、入力部１１において気温及び湿度が入力されることとしたが、不快指数が入力されることとしてもよい。この場合、ＣＰＵ１２は不快指数に基づいて犬の熱中症危険度レベルを決定する。また、外部の温度測定器及び湿度測定器によって測定された気温及び湿度のデータが入力部１１を介してＣＰＵ１２に入力されるようにしてもよい。  更に、犬の熱中症危険度レベルテーブル１３１を他のペットの熱中症危険度レベルテーブルに置き換えることによって、ＣＰＵ１２に対して他のペットの熱中症危険度レベルを決定させることができる。この場合、記憶部１３としてメモリカード、半導体メモリやハードディスク等が例示される。メモリカードの場合、他のペットの熱中症危険度レベルテーブルが記憶されたメモリカードに交換することによって、ＣＰＵ１２に対して犬以外のペットの熱中症危険度レベルを決定させることができる。または、半導体メモリ、ハードディスクの場合、記憶部１３にアクセス可能な操作手段を用いて犬の熱中症危険度レベルテーブル１３１を他のペットの熱中症危険度レベルテーブルに書き換えることによって、ＣＰＵ１２に対して他のペットの熱中症危険度レベルを決定させることができる。
【図面の簡単な説明】
【００３７】
【図１】犬の熱中症危険度報知システムのブロック図
【図２】不快指数曲線
【図３】犬の熱中症危険度レベルテーブルのデータ構成を示す図
【図４】犬の熱中症危険度レベル決定処理を説明するためのフローチャート
【図５】ネットワークを含む犬の熱中症危険度報知システムのブロック図
【図６】出力部に表示される画面例
【符号の説明】
【００３８】
１    犬の熱中症危険度報知システム
１１  入力部
１２  ＣＰＵ
１３  記憶部
１４  出力部
【図１】
2006345826.tif 000005
【図２】
2006345826.tif 000006
【図３】
2006345826.tif 000007
【図４】
2006345826.tif 000008
【図５】
2006345826.tif 000009
【図６】
2006345826.tif 000010